【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
市松状に配置された第１画素と、前記第１画素の間にそれぞれ配置された第２画素及び第３画素とを含む画像データの生成時に偽色の発生する領域を推定するための偽色発生領域推定装置であって、
前記第１画素位置における水平方向折返量ＴＨを算出する水平方向折返量算出手段と、
前記水平方向折返量ＴＨに応じて偽色発生領域を推定する手段とを備えたことを特徴とする偽色発生領域推定装置。
【請求項２】
市松状に配置された第１画素と、前記第１画素の間にそれぞれ配置された第２画素及び第３画素とを含む画像データの生成時に偽色の発生する領域を推定するための偽色発生領域推定装置であって、
前記第１画素位置における水平方向折返量ＴＨ１を算出する第１水平方向折返量算出手段と、前記第２及び第３画素位置における水平方向折返量ＴＨ２を算出する第２水平方向折返量算出手段との両方又はいずれか一方を備え、
前記第１水平方向折返量算出手段及び前記第２水平方向折返量算出手段が、
ＴＨ(0,0) ＝−｛Ａodd(-1,0) −Ａodd(+1,0)｝×｛Ａeven(-1,0)−Ａeven(+1,0)｝
（ただし、ＴＨ(0,0)≦０のときは、ＴＨ(0,0)＝０）
（ここで、Ａodd(+1,0)は、注目画素から＋ｘ方向に２ｎ＋１、＋ｙ方向にｍだけずれた位置での第１画素の平均を求めることによって得られる、注目画素からｘ方向、ｙ方向にそれぞれ＋１、０だけずれた位置における第１画素信号の推定値、Ａodd(-1,0)は、注目画素から−ｘ方向に２ｎ＋１、＋ｙ方向にｍだけずれた位置での第１画素の平均を求めることによって得られる、注目画素からｘ方向、ｙ方向にそれぞれ−１、０だけずれた位置における第１画素信号の推定値、Ａeven(+1,0)は、注目画素から＋ｘ方向に２ｎ、＋ｙ方向にｍだけずれた位置での第１画素の平均を求めることによって得られる、注目画素からｘ方向、ｙ方向にそれぞれ＋１、０だけずれた位置における第１画素信号の推定値、Ａeven(-1,0)は、注目画素から−ｘ方向に２ｎ、＋ｙ方向にｍだけずれた位置での第１画素の平均を求めることによって得られる、注目画素からｘ方向、ｙ方向にそれぞれ−１、０だけずれた位置における第１画素信号の推定値であり、ｎ＝０，１，２，３，・・・、ｍ＝０，±１，±２，±３，・・・）
で表される値ＴＨ(0,0)を求めることよって前記ＴＨ１及び前記ＴＨ２を算出するように構成されていることを特徴とする偽色発生領域推定装置。
【請求項３】
市松状に配置された第１画素と、前記第１画素の間にそれぞれ配置された第２画素及び第３画素とを含む画像データの生成時に偽色の発生する領域を推定するための偽色発生領域推定装置であって、
前記第１画素位置における垂直方向折返量ＴＶを算出する垂直方向折返量算出手段と、
前記垂直方向折返量ＴＶに応じて偽色発生領域を推定する手段とを備えたことを特徴とする偽色発生領域推定装置。
【請求項４】
市松状に配置された第１画素と、前記第１画素の間にそれぞれ配置された第２画素及び第３画素とを含む画像データの生成時に偽色の発生する領域を推定するための偽色発生領域推定装置であって、
前記第１画素位置における垂直方向折返量ＴＶ１を算出する第１垂直方向折返量算出手段と、前記第２及び第３画素位置における垂直方向折返量ＴＶ２を算出する第２垂直方向折返量算出手段との両方又はいずれか一方を備え、
前記第１垂直方向折返量算出手段及び前記第２垂直方向折返量算出手段が、
ＴＶ(0,0) ＝−｛Ａodd(0,-1) −Ａodd(0,+1)｝×｛Ａeven(0,-1)−Ａeven(0,+1)｝
（ただし、ＴＶ(0,0)≦０のときは、ＴＶ(0,0)＝０）
（ここで、Ａodd(0,+1)は、注目画素から＋ｘ方向にｍ、＋ｙ方向に２ｎ＋１だけずれた位置での第１画素の平均を求めることによって得られる、注目画素からｘ方向、ｙ方向にそれぞれ０、＋１だけずれた位置における第１画素信号の推定値、Ａodd(0,-1)は、注目画素から＋ｘ方向にｍ、−ｙ方向に２ｎ＋１だけずれた位置での第１画素の平均を求めることによって得られる、注目画素からｘ方向、ｙ方向にそれぞれ０、−１だけずれた位置における第１画素信号の推定値、Ａeven(0,+1)は、注目画素から＋ｘ方向にｍ、＋ｙ方向に２ｎだけずれた位置での第１画素の平均を求めることによって得られる、注目画素からｘ方向、ｙ方向にそれぞれ０、＋１だけずれた位置における第１画素信号の推定値、Ａeven(0,-1)は、注目画素から＋ｘ方向にｍ、−ｙ方向に２ｎだけずれた位置での第１画素の平均を求めることによって得られる、注目画素からｘ方向、ｙ方向にそれぞれ０、−１だけずれた位置における第１画素信号の推定値であり、ｎ＝０，１，２，３，・・・、ｍ＝０，±１，±２，±３，・・・）
で表される値ＴＶ(0,0)を求めることよって前記ＴＶ１及び前記ＴＶ２を算出するように構成されていることを特徴とする偽色発生領域推定装置。
【請求項５】
市松状に配置された第１画素と、前記第１画素の間にそれぞれ配置された第２画素及び第３画素とを含む画像データの生成時に偽色の発生する領域を推定するための偽色発生領域推定装置であって、
前記第２及び第３画素位置における斜め４５度方向折返量ＴＮを算出する斜め４５度方向折返量算出手段と、
前記斜め４５度方向折返量ＴＮに応じて偽色発生領域を推定する手段とを備えたことを特徴とする偽色発生領域推定装置。
【請求項６】
市松状に配置された第１画素と、前記第１画素の間にそれぞれ配置された第２画素及び第３画素とを含む画像データの生成時に偽色の発生する領域を推定するための偽色発生領域推定装置であって、
前記第２及び第３画素位置における斜め４５度方向折返量ＴＮを算出する斜め４５度方向折返量算出手段を備え、
前記斜め４５度方向折返量算出手段が、
ＴＮ(0,0) ＝−｛Ａ(-0.5,-0.5) −Ａ(+0.5,+0.5)｝×｛Ａ(-1.5,-1.5)−Ａ(+1.5,+1.5) ｝
（ただし、ＴＮ(0,0)≦０のときは、ＴＮ(0,0)＝０）
（ここで、Ａ(+0.5,+0.5)は、注目画素から＋ｘ方向にｍ＋１、＋ｙ方向に−ｍだけずれた位置での第１画素の平均を求めることによって得られる、注目画素からｘ方向、ｙ方向にそれぞれ＋０．５、＋０．５だけずれた位置における第１画素信号の推定値、Ａ(-0.5,-0.5)は、注目画素から−ｘ方向にｍ＋１、−ｙ方向に−ｍだけずれた位置での第１画素の平均を求めることによって得られる、注目画素からｘ方向、ｙ方向にそれぞれ−０．５、−０．５だけずれた位置における第１画素信号の推定値、Ａ(+1.5,+1.5)は、注目画素から＋ｘ方向にｍ＋２、＋ｙ方向に−ｍ＋１だけずれた位置での第１画素の平均を求めることによって得られる、注目画素からｘ方向、ｙ方向にそれぞれ＋１．５、＋１．５だけずれた位置における第１画素信号の推定値、Ａ(-1.5,-1.5)は、注目画素から−ｘ方向にｍ＋２、−ｙ方向に−ｍ＋１だけずれた位置での第１画素の平均を求めることによって得られる、注目画素からｘ方向、ｙ方向にそれぞれ−１．５、−１．５だけずれた位置における第１画素信号の推定値であり、ｍ＝０，±１，±２，±３，・・・）
で表される値ＴＮ(0,0)を求めることよって前記ＴＮを算出するように構成されていることを特徴とする偽色発生領域推定装置。
【請求項７】
市松状に配置された第１画素と、前記第１画素の間にそれぞれ配置された第２画素及び第３画素とを含む画像データの生成時に偽色の発生する領域を推定するための偽色発生領域推定装置であって、
前記第２及び第３画素位置における斜め１３５度方向折返量ＴＺを算出する斜め１３５度方向折返量算出手段と、
前記斜め１３５度方向折返量ＴＺに応じて偽色発生領域を推定する手段とを備えたことを特徴とする偽色発生領域推定装置。
【請求項８】
市松状に配置された第１画素と、前記第１画素の間にそれぞれ配置された第２画素及び第３画素とを含む画像データの生成時に偽色の発生する領域を推定するための偽色発生領域推定装置であって、
前記第２及び第３画素位置における斜め１３５度方向折返量ＴＺを算出する斜め１３５度方向折返量算出手段を備え、
前記斜め１３５度方向折返量算出手段が、
ＴＺ(0,0) ＝−｛Ａ(-0.5,+0.5) −Ａ(+0.5,-0.5)｝×｛Ａ(-1.5,+1.5)−Ａ(+1.5,-1.5) ｝
（ただし、ＴＺ(0,0)≦０のときは、ＴＺ(0,0)＝０）
（ここで、Ａ(+0.5,-0.5)は、注目画素から＋ｘ方向にｍ＋１、＋ｙ方向にｍだけずれた位置での第１画素の平均を求めることによって得られる、注目画素からｘ方向、ｙ方向にそれぞれ＋０．５、−０．５だけずれた位置における第１画素信号の推定値、Ａ(-0.5,+0.5)は、注目画素から−ｘ方向にｍ＋１、−ｙ方向にｍだけずれた位置での第１画素の平均を求めることによって得られる、注目画素からｘ方向、ｙ方向にそれぞれ−０．５、＋０．５だけずれた位置における第１画素信号の推定値、Ａ(+1.5,-1.5)は、注目画素から＋ｘ方向にｍ＋２、＋ｙ方向にｍ−１だけずれた位置での第１画素の平均を求めることによって得られる、注目画素からｘ方向、ｙ方向にそれぞれ＋１．５、−１．５だけずれた位置における第１画素信号の推定値、Ａ(-1.5,+1.5)は、注目画素から−ｘ方向にｍ＋２、−ｙ方向にｍ−１だけずれた位置での第１画素の平均を求めることによって得られる、注目画素からｘ方向、ｙ方向にそれぞれ−１．５、＋１．５だけずれた位置における第１画素信号の推定値であり、ｍ＝０，±１，±２，±３，・・・）
で表される値ＴＺ(0,0)を求めることよって前記ＴＺを算出するように構成されていることを特徴とする偽色発生領域推定装置。
【請求項９】
市松状に配置された第１画素と、前記第１画素の間にそれぞれ配置された第２画素及び第３画素とを含む画像データの生成時に偽色の発生する領域を推定するための偽色発生領域推定装置であって、
前記各画素位置における水平方向折返量ＴＨを算出する水平方向折返量算出手段と、
前記各画素位置における垂直方向折返量ＴＶを算出する垂直方向折返量算出手段と、
前記第２及び第３画素位置における斜め４５度方向折返量ＴＮを算出する斜め４５度方向折返量算出手段と、
前記第２及び第３画素位置における斜め１３５度方向折返量ＴＺを算出する斜め１３５度方向折返量算出手段と、
を備えており、
前記水平方向折返量算出手段が、前記第１画素位置における水平方向折返量ＴＨ１を算出する第１水平方向折返量算出手段と、前記第２及び第３画素位置における水平方向折返量ＴＨ２を算出する第２水平方向折返量算出手段の両方又はいずれか一方を有しており、
前記第１水平方向折返量算出手段及び前記第２水平方向折返量算出手段が、
ＴＨ(0,0) ＝−｛Ａodd(-1,0) −Ａodd(+1,0)｝×｛Ａeven(-1,0)−Ａeven(+1,0)｝
（ただし、ＴＨ(0,0)≦０のときは、ＴＨ(0,0)＝０）
（ここで、Ａodd(+1,0)は、注目画素から＋ｘ方向に２ｎ＋１、＋ｙ方向にｍだけずれた位置での第１画素の平均を求めることによって得られる、注目画素からｘ方向、ｙ方向にそれぞれ＋１、０だけずれた位置における第１画素信号の推定値、Ａodd(-1,0)は、注目画素から−ｘ方向に２ｎ＋１、＋ｙ方向にｍだけずれた位置での第１画素の平均を求めることによって得られる、注目画素からｘ方向、ｙ方向にそれぞれ−１、０だけずれた位置における第１画素信号の推定値、Ａeven(+1,0)は、注目画素から＋ｘ方向に２ｎ、＋ｙ方向にｍだけずれた位置での第１画素の平均を求めることによって得られる、注目画素からｘ方向、ｙ方向にそれぞれ＋１、０だけずれた位置における第１画素信号の推定値、Ａeven(-1,0)は、注目画素から−ｘ方向に２ｎ、＋ｙ方向にｍだけずれた位置での第１画素の平均を求めることによって得られる、注目画素からｘ方向、ｙ方向にそれぞれ−１、０だけずれた位置における第１画素信号の推定値であり、ｎ＝０，１，２，３，・・・、ｍ＝０，±１，±２，±３，・・・）
で表される値ＴＨ(0,0)を求めることよって前記ＴＨ１及び前記ＴＨ２を算出するように構成されており、
前記垂直方向折返量算出手段が、前記第１画素位置における垂直方向折返量ＴＶ１を算出する第１垂直方向折返量算出手段と、前記第２及び第３画素位置における垂直方向折返量ＴＶ２を算出する第２垂直方向折返量算出手段の両方又はいずれか一方を有しており、
前記第１垂直方向折返量算出手段及び前記第２垂直方向折返量算出手段が、
ＴＶ(0,0) ＝−｛Ａodd(0,-1) −Ａodd(0,+1)｝×｛Ａeven(0,-1)−Ａeven(0,+1)｝
（ただし、ＴＶ(0,0)≦０のときは、ＴＶ(0,0)＝０）
（ここで、Ａodd(0,+1)は、注目画素から＋ｘ方向にｍ、＋ｙ方向に２ｎ＋１だけずれた位置での第１画素の平均を求めることによって得られる、注目画素からｘ方向、ｙ方向にそれぞれ０、＋１だけずれた位置における第１画素信号の推定値、Ａodd(0,-1)は、注目画素から＋ｘ方向にｍ、−ｙ方向に２ｎ＋１だけずれた位置での第１画素の平均を求めることによって得られる、注目画素からｘ方向、ｙ方向にそれぞれ０、−１だけずれた位置における第１画素信号の推定値、Ａeven(0,+1)は、注目画素から＋ｘ方向にｍ、＋ｙ方向に２ｎだけずれた位置での第１画素の平均を求めることによって得られる、注目画素からｘ方向、ｙ方向にそれぞれ０、＋１だけずれた位置における第１画素信号の推定値、Ａeven(0,-1)は、注目画素から＋ｘ方向にｍ、−ｙ方向に２ｎだけずれた位置での第１画素の平均を求めることによって得られる、注目画素からｘ方向、ｙ方向にそれぞれ０、−１だけずれた位置における第１画素信号の推定値であり、ｎ＝０，１，２，３，・・・、ｍ＝０，±１，±２，±３，・・・）
で表される値ＴＶ(0,0)を求めることよって前記ＴＶ１及び前記ＴＶ２を算出するように構成されており、
前記斜め４５度方向折返量算出手段が、
ＴＮ(0,0) ＝−｛Ａ(-0.5,-0.5) −Ａ(+0.5,+0.5)｝×｛Ａ(-1.5,-1.5)−Ａ(+1.5,+1.5) ｝
（ただし、ＴＮ(0,0)≦０のときは、ＴＮ(0,0) ＝０）
（ここで、Ａ(+0.5,+0.5)は、注目画素から＋ｘ方向にｍ＋１、＋ｙ方向に−ｍだけずれた位置での第１画素の平均を求めることによって得られる、注目画素からｘ方向、ｙ方向にそれぞれ＋０．５、＋０．５だけずれた位置における第１画素信号の推定値、Ａ(-0.5,-0.5)は、注目画素から−ｘ方向にｍ＋１、−ｙ方向に−ｍだけずれた位置での第１画素の平均を求めることによって得られる、注目画素からｘ方向、ｙ方向にそれぞれ−０．５、−０．５だけずれた位置における第１画素信号の推定値、Ａ(+1.5,+1.5)は、注目画素から＋ｘ方向にｍ＋２、＋ｙ方向に−ｍ＋１だけずれた位置での第１画素の平均を求めることによって得られる、注目画素からｘ方向、ｙ方向にそれぞれ＋１．５、＋１．５だけずれた位置における第１画素信号の推定値、Ａ(-1.5,-1.5)は、注目画素から−ｘ方向にｍ＋２、−ｙ方向に−ｍ＋１だけずれた位置での第１画素の平均を求めることによって得られる、注目画素からｘ方向、ｙ方向にそれぞれ−１．５、−１．５だけずれた位置における第１画素信号の推定値であり、ｍ＝０，±１，±２，±３，・・・）
で表される値ＴＮ(0,0)を求めることよって前記ＴＮを算出するように構成されており、
前記斜め１３５度方向折返量算出手段が、
ＴＺ(0,0) ＝−｛Ａ(-0.5,+0.5) −Ａ(+0.5,-0.5)｝×｛Ａ(-1.5,+1.5)−Ａ(+1.5,-1.5) ｝
（ただし、ＴＺ(0,0)≦０のときは、ＴＺ(0,0) ＝０）
（ここで、Ａ(+0.5,-0.5)は、注目画素から＋ｘ方向にｍ＋１、＋ｙ方向にｍだけずれた位置での第１画素の平均を求めることによって得られる、注目画素からｘ方向、ｙ方向にそれぞれ＋０．５、−０．５だけずれた位置における第１画素信号の推定値、Ａ(-0.5,+0.5)は、注目画素から−ｘ方向にｍ＋１、−ｙ方向にｍだけずれた位置での第１画素の平均を求めることによって得られる、注目画素からｘ方向、ｙ方向にそれぞれ−０．５、＋０．５だけずれた位置における第１画素信号の推定値、Ａ(+1.5,-1.5)は、注目画素から＋ｘ方向にｍ＋２、＋ｙ方向にｍ−１だけずれた位置での第１画素の平均を求めることによって得られる、注目画素からｘ方向、ｙ方向にそれぞれ＋１．５、−１．５だけずれた位置における第１画素信号の推定値、Ａ(-1.5,+1.5)は、注目画素から−ｘ方向にｍ＋２、−ｙ方向にｍ−１だけずれた位置での第１画素の平均を求めることによって得られる、注目画素からｘ方向、ｙ方向にそれぞれ−１．５、＋１．５だけずれた位置における第１画素信号の推定値であり、ｍ＝０，±１，±２，±３，・・・）
で表される値ＴＺ(0,0)を求めることよって前記ＴＺを算出するように構成されていることを特徴とする偽色発生領域推定装置。
【請求項１０】
前記各折返量から、所定領域における偽色発生推定量を算出するための偽色発生推定量算出手段を更に備えており、
前記偽色発生推定量算出手段が、各方向における各画素位置の前記折返量の重み付け平均を求め、更に前記４方向における前記重み付け平均を足し合わせることによって一定領域における偽色発生推定量を算出するように構成されていることを特徴とする請求項９に記載の偽色発生領域推定装置。
【請求項１１】
前記第１画素が緑色画素であり、前記第２画素が赤色画素であり、前記第３画素が青色画素であることを特徴とする請求項１〜１０の何れか１項に記載の偽色発生領域推定装置。
【請求項１２】
市松状に配置された第１画素と、前記第１画素の間にそれぞれ配置された第２画素及び第３画素とを含む画像データの生成時に偽色の発生する領域を推定する処理をコンピュータに実行させるための偽色発生領域推定プログラムであって、
請求項１〜１１の何れか１項に記載の各手段としてコンピュータを機能させるための偽色発生領域推定プログラム。